(57)【特許請求の範囲】
【請求項１】
複数の第１接触端子を収納する第１ターミナルハウジング、及び複数の第２接触端子を収納する第２ターミナルハウジングを備え、
前記第１ターミナルハウジングと前記第２ターミナルハウジングとを所定の嵌合方向に沿って嵌合させると、前記複数の第１接触端子のそれぞれと前記複数の第２接触端子のそれぞれとが対となって複数の接点が構成されると共に、前記複数の接点の間に、前記複数の第１接触端子のそれぞれに設けられた複数の第１絶縁体及び前記複数の第２接触端子のそれぞれに設けられた複数の第２絶縁体が介在する積層構造となるコネクタ装置であって、
前記第１絶縁体は、前記第１ターミナルハウジングに収納されて前記第１接触端子の前記嵌合方向の先端面の少なくとも一部を覆い、
前記第２絶縁体は、前記第２ターミナルハウジングに収納されて前記第２接触端子の前記嵌合方向の先端面の少なくとも一部を覆い、
前記複数の第１絶縁体は、前記第１絶縁体同士が互いに連結され、この連結により、前記第１絶縁体同士の前記嵌合方向の相対移動、ならびに前記積層構造の積層方向及び前記嵌合方向に対して垂直な方向である幅方向の相対移動が規制され、
前記複数の第１絶縁体は、前記第１絶縁体同士が互いに連結された状態で前記積層方向に相対移動可能であり、
前記第１ターミナルハウジングと前記第２ターミナルハウジングとの嵌合により前記積層構造となった前記複数の第１接触端子、前記複数の第２接触端子、互いに連結された前記複数の第１絶縁体、及び前記複数の第２絶縁体を一括して前記積層方向に押圧する押圧機構をさらに備えた
コネクタ装置。
【請求項２】
前記複数の第１絶縁体は、隣接する一対の第１絶縁体のうち、一方の第１絶縁体に設けられた凸部が他方の第１絶縁体に設けられた前記積層方向の凹部に嵌合することで、互いに連結される
請求項１に記載のコネクタ装置。
【請求項３】
前記第１絶縁体は、前記凸部が前記幅方向の両端部に設けられ、
前記第１接触端子は、前記第１絶縁体の前記両端部に設けられた前記凸部の間に配置される、
請求項２に記載のコネクタ装置。
【請求項４】
前記複数の第１絶縁体は、それぞれが前記凸部及び前記凹部を有する同一の形状及び大きさである、
請求項３に記載のコネクタ装置。
【請求項５】
前記複数の第１絶縁体は、前記積層方向の一端における前記第１絶縁体が前記第１ターミナルハウジングの内面に形成された内方突起に係止されることにより、前記第１ターミナルハウジングからの離脱が抑止されている、
請求項１乃至４に記載のコネクタ装置。
【発明の詳細な説明】
【技術分野】
【０００１】
本発明は、コネクタ装置に関する。
【背景技術】
【０００２】
近年、著しい進歩を遂げている所謂ハイブリッド車や電気自動車において、省エネルギー性能をさらに向上させることを目的に、全ての部品について軽量化が図られているが、軽量化を図る上で有効な手段の一つに部品の小型化が挙げられる。この小型化は、車両の走行用の駆動源としてのモータと、このモータに駆動電流を供給するインバータとの間、又はインバータとバッテリーとの間を接続する電力ハーネスの端部に設けられるコネクタ装置にも図られる。
【０００３】
また、この種のコネクタ装置には、車両の使用者等による不用意な分解（雄コネクタと雌コネクタの分離）が行われた際に、内部の端子に手指等が直接触れないようにするための構造であるタッチプロテクト構造を適用することが要請されている。このタッチプロテクト構造を適用したコネクタとして、特許文献１に記載のものが知られている。
【０００４】
特許文献１に記載のコネクタは、第１コネクタ部と第２コネクタ部とを嵌合させると、第１コネクタ部の複数の第１接合端子、及び各第１接合端子に固定された複数の第１絶縁部材と、第２コネクタ部の複数の第２接合端子、及び各第２接合端子に固定された複数の第２絶縁部材とが互いに積み重なって積層構造となり、これらを押圧することにより第１接合端子と第２接合端子とが各接点で接触するように構成されている。
【０００５】
特許文献１に記載のコネクタによれば、第１絶縁部材が第１接合端子に固定され、第２絶縁部材が第２接合端子に固定されているため、第１絶縁部材同士、又は第２絶縁部材同士の間隔を保持しておく保持部材を設ける必要がなく、小型化を図ることが可能である。また、第１コネクタ部と第２コネクタ部との非嵌合時にも、第１接合端子及び第２接合端子の先端部が剥き出しとならず、使用者等の手指等が接触することを避けることができる。
【０００６】
また、雄コネクタと雌コネクタとの嵌合により、雄コネクタの複数の端子と雌コネクタの複数の端子とが複数の絶縁片を介して積層構造となる接続構造として、特許文献２に記載のものが知られている。
【０００７】
特許文献２に記載の雌コネクタは、雄コネクタと雌コネクタとの嵌合方向に沿った絶縁片の動きが、絶縁片に形成された溝とケース内に形成された突状との係合によって規制されると共に、ケース内における絶縁片の幅方向の動きが、絶縁片の係合片とケースとの接触により規制されている。
【先行技術文献】
【特許文献】
【０００８】
【特許文献１】特開２０１１−１５９５９０号公報
【特許文献２】特開２０１０−２４４９３５号公報
【発明の概要】
【発明が解決しようとする課題】
【０００９】
特許文献１に記載のコネクタでは、接合端子に接続されたケーブルに、このケーブルの延伸方向に沿った過剰な力が加わると、接合端子が動いてしまい、それに伴って絶縁部材の位置ずれが発生してしまうおそれがあった。そこで、本発明者らは、特許文献１に記載のコネクタに、特許文献２に記載の技術を適用することを考えた。
【００１０】
しかし、特許文献１に記載のコネクタに特許文献２に記載の技術を適用したとしても、絶縁片にケースと接触する係合片を形成する必要があるため、この係合片の分だけコネクタが大型化してしまうという問題があった。
【００１１】
そこで、本発明は、手指等に端子が直接触れ難くすると共に、端子間に介在する絶縁体の位置ずれを抑制しながら小型化を図ることが可能なコネクタ装置を提供することを目的とする。
【課題を解決するための手段】
【００１２】
本発明は、上記課題を解決することを目的として、複数の第１接触端子を収納する第１ターミナルハウジング、及び複数の第２接触端子を収納する第２ターミナルハウジングを備え、前記第１ターミナルハウジングと前記第２ターミナルハウジングとを所定の嵌合方向に沿って嵌合させると、前記複数の第１接触端子のそれぞれと前記複数の第２接触端子のそれぞれとが対となって複数の接点が構成されると共に、前記複数の接点の間に、前記複数の第１接触端子のそれぞれに設けられた複数の第１絶縁体及び前記複数の第２接触端子のそれぞれに設けられた複数の第２絶縁体が介在する積層構造となるコネクタ装置であって、前記第１絶縁体は、前記第１ターミナルハウジングに収納されて前記第１接触端子の前記嵌合方向の先端面の少なくとも一部を覆い、前記第２絶縁体は、前記第２ターミナルハウジングに収納されて前記第２接触端子の前記嵌合方向の先端面の少なくとも一部を覆い、前記複数の第１絶縁体は、前記第１絶縁体同士が互いに連結され、この連結により、前記第１絶縁体同士の前記嵌合方向の相対移動、ならびに前記積層構造の積層方向及び前記嵌合方向に対して垂直な方向である幅方向の相対移動が規制され、前記複数の第１絶縁体は、前記第１絶縁体同士が互いに連結された状態で前記積層方向に相対移動可能であり、前記第１ターミナルハウジングと前記第２ターミナルハウジングとの嵌合により前記積層構造となった前記複数の第１接触端子、前記複数の第２接触端子、互いに連結された前記複数の第１絶縁体、及び前記複数の第２絶縁体を一括して前記積層方向に押圧する押圧機構をさらに備えたコネクタ装置を提供する。
【００１３】
また、前記複数の第１絶縁体は、隣接する一対の第１絶縁体のうち、一方の第１絶縁体に設けられた凸部が他方の第１絶縁体に設けられた前記積層方向の凹部に嵌合することで、互いに連結されるとよい。
【００１４】
また、前記第１絶縁体は、前記凸部が前記幅方向の両端部に設けられ、
前記第１接触端子は、前記第１絶縁体の前記両端部に設けられた前記凸部の間に配置されるとよい。
【００１５】
また、前記複数の第１絶縁体は、それぞれが前記凸部及び前記凹部を有する同一の形状及び大きさであるとよい。
【００１７】
また、前記複数の第１絶縁体は、前記積層方向の一端における前記第１絶縁体が前記第１ターミナルハウジングの内面に形成された内方突起に係止されることにより、前記第１ターミナルハウジングからの離脱が抑止されているとよい。
【発明の効果】
【００１８】
本発明に係るコネクタ装置によれば、手指等に端子が直接触れ難くすると共に、端子間に介在する絶縁体の位置ずれを抑制しながら小型化を図ることが可能となる。
【図面の簡単な説明】
【００１９】
【図１】本発明の実施の形態に係るコネクタ装置を示し、（ａ）は正面図、（ｂ）は斜視図である。
【図２】第１〜第３の電線及び第４〜第６の電線の軸線に沿って切断したコネクタ装置の断面図である。
【図３】雄コネクタと雌コネクタとが非嵌合状態である場合のコネクタ装置の断面図である。
【図４】絶縁体を示し、（ａ）は左側面図、（ｂ）は正面図、（ｃ）は右側面図、（ｄ）は斜視図である。
【図５】絶縁体を示し、（ａ）は左側面図、（ｂ）は正面図、（ｃ）は右側面図、（ｄ）は斜視図である。
【図６】３つの絶縁体及び１つの絶縁体を連結してなる組立体を示し、（ａ）は左側面図、（ｂ）は正面図、（ｃ）は右側面図、（ｄ）は斜視図である。
【図７】組立体と、第１〜第３の電線及び第１〜第３の接触端子とを組み合わせた状態を示す説明図である。
【図８】図７のＡ−Ａ線断面図である。
【発明を実施するための形態】
【００２０】
［実施の形態］
図１は、本発明の実施の形態に係るコネクタ装置を示し、（ａ）は正面図、（ｂ）は斜視図である。
【００２１】
（コネクタ装置１の構成）
このコネクタ装置１は、第１〜第３の電線１１〜１３と第４〜第６の電線１４〜１６とをそれぞれ着脱可能に接続するものであり、第１〜第３の電線１１〜１３の一端に設けられた雄コネクタ２と、第４〜第６の電線１４〜１６の一端に設けられた雌コネクタ３とを有して構成されている。
【００２２】
第１〜第３の電線１１〜１３の他端は、例えば車両の走行用の駆動源としての三相交流モータに接続され、第４〜第６の電線の他端は、例えば三相交流モータに駆動電流を供給するインバータに接続されている。そして、雄コネクタ２と雌コネクタ３との嵌合により、第１の電線１１が第４の電線１４に、第２の電線１２が第５の電線１５に、第３の電線１３が第６の電線１６に、それぞれ電気的に接続される。この場合、第１の電線１１及び第４の電線１４、第２の電線１２及び第５の電線１５、第３の電線１３及び第６の電線１６は、それぞれＵ相、Ｖ相、Ｗ相の電流を三相交流モータに供給する。
【００２３】
雄コネクタ２は、雄側ハウジング２０を備え、この雄側ハウジング２０内に、第１〜第３の電線１１〜１３にそれぞれ接続された３つの接続端子を収容している。また、雌コネクタ３は、雌側ハウジング３０を備え、この雌側ハウジング３０内に、第４〜第６の電線１４〜１６にそれぞれ接続された３つの接続端子を収容している。雄側ハウジング２０は、本発明の「第１ターミナルハウジング」の一例であり、雌側ハウジング３０は、本発明の「第２ターミナルハウジング」の一例である。
【００２４】
雌側ハウジング３０には、円形の開口３１１ａが形成されている。この開口３１１ａは、後述する押圧機構の回転部材６１を外部に臨ませている。
【００２５】
図２は、第１〜第３の電線１１〜１３及び第４〜第６の電線１４〜１６の軸線に沿って切断したコネクタ装置１の断面図である。図３は、雄コネクタ２と雌コネクタ３とが非嵌合状態である場合のコネクタ装置１の断面図である。
【００２６】
（雄コネクタ２の構成）
雄コネクタ２は、雄側ハウジング２０内に、第１〜第３の電線１１〜１３の一端に接続された第１〜第３の接触端子１１０，１２０，１３０を収納している。
【００２７】
第１〜第３の電線１１〜１３は、芯線１１１，１２１，１３１の外周を絶縁体からなるシース１１２，１２２，１３２で被覆してなり、第１〜第３の電線１１〜１３の一端では、シース１１２，１２２，１３２が除去されて芯線１１１，１２１，１３１が露出している。第１〜第３の接触端子１１０，１２０，１３０は、その一端に形成された接続部１１０ａ，１２０ａ，１３０ａに、露出した芯線１１１，１２１，１３１が圧着によって接続されている。
【００２８】
第１〜第３の接触端子１１０，１２０，１３０における他端（接続部１１０ａ，１２０ａ，１３０ａとは反対側の端部）には、平板状の接触部１１０ｂ，１２０ｂ，１３０ｂが形成されている。第１〜第３の接触端子１１０，１２０，１３０は、接触部１１０ｂ，１２０ｂ，１３０ｂが互いに平行になるように、雄側ハウジング２０に保持されている。
【００２９】
また、第１〜第３の接触端子１１０，１２０，１３０には、接続部１１０ａ，１２０ａ，１３０ａと接触部１１０ｂ，１２０ｂ，１３０ｂとの間に、突起部１１０ｃ，１２０ｃ，１３０ｃが形成されている。この突起部１１０ｃ，１２０ｃ，１３０ｃは、雄側ハウジング２０と雌側ハウジング３０との嵌合方向（図２，３の左右方向）に対して直交する方向に突出して形成されている。
【００３０】
また、雄側ハウジング２０は、第１〜第３の接触端子１１０，１２０，１３０のそれぞれに対応して設けられた３つの絶縁体４１を収納している。３つの絶縁体４１は、それぞれが同一の形状及び大きさを有し、第１〜第３の接触端子１１０，１２０，１３０の接触部１１０ｂ，１２０ｂ，１３０ｂの一方の平面を覆うように配置されている。
【００３１】
絶縁体４１は、例えば、ＰＰＳ（ポリフェニレンサルファイド）樹脂、ＰＰＡ（ポリフタルアミド）樹脂、ＰＡ（ポリアミド）樹脂、ＰＢＴ（ポリブチレンテレフタレート）、エポキシ系樹脂）等の絶縁性の樹脂からなる。絶縁体４１は、本発明の「第１絶縁体」の一例である。
【００３２】
また、雄側ハウジング２０には、押圧機構６が設けられている。押圧機構６は、有底円筒状の回転部材６１と、回転部材６１に一端が収容されるコイルばね６２と、コイルばね６２の他端に当接する押圧力出力部材としての金属板６３と、回転部材６１を抜け止めするスナップリング６４とを備えて構成されている。
【００３３】
回転部材６１は、雄側ハウジング２０の内外に連通する貫通孔２１３に収納され、この貫通孔２１３の内部で回転自在である。また、回転部材６１は、底部６１１と筒部６１２とを一体に有している。筒部６１２の外面には、環状の溝が形成され、この溝内にシール部材２６が収容されている。シール部材２６は、筒部６１２の外面と貫通孔２１３の内周面２１３ａとの間を封止している。
【００３４】
底部６１１には、回転部材６１を回転させる工具の先端部を受容する穴部６１１ａが形成されている。穴部６１１ａは、例えば図１（ｂ）に示すように星形を呈し、＋ドライバや六角レンチ等の汎用工具による回転操作を阻止し得る形状に形成されている。
【００３５】
回転部材６１は、雄側ハウジング２０に対して回転することにより、貫通孔２１３の中心軸に沿って進退移動する。回転部材６１がその回転によって進退移動する構造は、特に限定しないが、例えば筒部６１２の側面の対向した位置から径方向外側に突出する２つの突起を形成し、この突起を、貫通孔２１３の内周面２１３ａに形成された螺旋状の溝に螺合させる構造を採用することができる。また、筒部６１２の外周面に螺旋状の雄ねじを形成すると共に、貫通孔２１３の内周面２１３ａに雌ねじを形成し、これらの雄ねじと雌ねじとを螺合させてもよい。
【００３６】
コイルばね６２は、貫通孔２１３の中心軸に沿って伸縮可能な弾性体であり、その一端が底部６１１に当接して筒部６１２の内部に収容され、他端が金属板６３に当接している。
【００３７】
金属板６３は、絶縁体４２に収容されている。絶縁体４２は、例えば絶縁体４１と同様の絶縁性の樹脂からなる。絶縁体４２は、金属板６３と第１の接触端子１１０の接触部１１０ｂとの間に介在している。
【００３８】
雄側ハウジング２０は、絶縁体４２及び３つの絶縁体４１を収納する収納空間を内部に有する収納部２１と、収納部２１の一端に形成されたフランジ部２２と、第１〜第３の接触端子１１０，１２０，１３０及び第１〜第３の電線１１〜１３の一端を保持する保持部２３とを有している。本実施の形態では、収納部２１とフランジ部２２とが一体の金属部材からなり、保持部２３は絶縁性の樹脂部材からなる。
【００３９】
より具体的には、収納部２１及びフランジ部２２は、例えば良導電性のアルミニウム合金や銅等からなる。保持部２３は、例えば、ＰＰＳ（ポリフェニレンサルファイド）樹脂、ＰＰＡ（ポリフタルアミド）樹脂、ＰＡ（ポリアミド）樹脂、ＰＢＴ（ポリブチレンテレフタレート）、エポキシ系樹脂）等の絶縁性の樹脂からなる。
【００４０】
保持部２３は、その一部が収納部２１に圧入されて嵌合し、収納部２１及びフランジ部２２と一体化されている。保持部２３の外面と、この外面に対向する収納部２１の内面との間には、環状のシール部材２４が配置されている。
【００４１】
また、保持部２３には、第１〜第３の接触端子１１０，１２０，１３０の突起部１１０ｃ，１２０ｃ，１３０ｃに当接し、第１〜第３の接触端子１１０，１２０，１３０の移動を規制する複数（３つ）の係止突起２３ａが形成されている。係止突起２３ａは、突起部１１０ｃ，１２０ｃ，１３０ｃよりも第１〜第３の電線１１〜１３側に形成され、例えば第１〜第３の電線１１〜１３が引っ張られた場合における第１〜第３の接触端子１１０，１２０，１３０の移動を規制している。
【００４２】
フランジ部２２には、このフランジ部２２を取付対象部材に固定するためのボルトを挿通させるボルト穴２２ａが２箇所に形成されている。また、フランジ部２２には、雄側ハウジング２０を位置決めするための突起２２ｂが１箇所に形成されている。
【００４３】
収納部２１には、貫通孔２１３と対向する内面に、貫通孔２１３に向かって突出する内方突起２１２が設けられている。内方突起２１２の先端面２１２ａは、平坦な面に形成されている。
【００４４】
また、収納部２１には、内方突起２１２の外側にあたる外面に、外方突起２１１が設けられている。また収納部２１の外面には、環状のシール部材２５が配置されている。
【００４５】
（雌コネクタ３の構成）
雌コネクタ３は、雌側ハウジング３０内に、第４〜第６の電線１４〜１６の一端に接続された第４〜第６の接触端子１４０，１５０，１６０を収納している。
【００４６】
第４〜第６の電線１４〜１６は、芯線１４１，１５１，１６１の外周を絶縁体からなるシース１４２，１５２，１６２で被覆してなり、第４〜第６の電線１４〜１６の一端では、シース１４２，１５２，１６２が除去されて芯線１４１，１５１，１６１が露出している。第４〜第６の接触端子１４０，１５０，１６０は、その一端に形成された接続部１４０ａ，１５０ａ，１６０ａに、露出した芯線１４１，１５１，１６１が圧着によって接続されている。
【００４７】
第４〜第６の接触端子１４０，１５０，１６０の他端（接続部１４０ａ，１５０ａ，１６０ａとは反対側の端部）には、平板状の接触部１４０ｂ，１５０ｂ，１６０ｂが形成されている。第４〜第６の接触端子１４０，１５０，１６０は、接触部１４０ｂ，１５０ｂ，１６０ｂが互いに平行になるように、雌側ハウジング３０に保持されている。
【００４８】
また、雌側ハウジング３０は、第４〜第６の接触端子１４０，１５０，１６０のそれぞれに対応して設けられた３つの絶縁体５１を収納している。３つの絶縁体５１は、第４〜第６の接触端子１４０，１５０，１６０の接触部１４０ｂ，１５０ｂ，１６０ｂの一方の平面を覆うように配置されている。また、これら３つの絶縁体５１は、第４〜第６の接触端子１４０，１５０，１６０の先端面１４０ｃ，１５０ｃ，１６０ｃを覆っている。
【００４９】
絶縁体５１は、例えば第４〜第６の接触端子１４０，１５０，１６０の接触部１４０ｂ，１５０ｂ，１６０ｂの一方の平面に、接着又はモールド成型によって固定されている。
【００５０】
絶縁体５１は、絶縁体４１と同様、例えばＰＰＳ（ポリフェニレンサルファイド）樹脂、ＰＰＡ（ポリフタルアミド）樹脂、ＰＡ（ポリアミド）樹脂、ＰＢＴ（ポリブチレンテレフタレート）、エポキシ系樹脂）等の絶縁性の樹脂からなる。絶縁体５１は、本発明の「第２絶縁体」の一例である。
【００５１】
雌側ハウジング３０は、筒状体３１と、筒状体３１に収容され、第４〜第６の接触端子１４０，１５０，１６０及び第４〜第６の電線１４〜１６の一端を保持する保持部３２と、保持部３２の外面を覆う筒状シールド体３３とを有している。
【００５２】
筒状体３１は、雄側ハウジング２０との嵌合時に、雄側ハウジング２０の収納部２１を収容する第１筒部３１１と、保持部３２を収容して保持する第２筒部３１２とを一体に有している。第１筒部３１１には、前述の開口３１１ａが形成されている。また、第１筒部３１１には、開口３１１ａの反対側の部位に、雄側ハウジング２０との嵌合時に前述の外方突起２１１と係合し、雄側ハウジング２０と雌側ハウジング３０との離脱を抑制する開口３０１ｂが形成されている。
【００５３】
保持部３２は、複数の樹脂部材からなり、これら樹脂部材間を封止するシール部材３５と、雄側ハウジング２０との嵌合時に、雄側ハウジング２０の収納部２１の内面との間を封止するシール部材３４とを保持している。
【００５４】
本実施の形態では、筒状体３１及び筒状シールド体３３が例えば良導電性のアルミニウム合金や銅等からなる。また、保持部３２は、例えば、ＰＰＳ（ポリフェニレンサルファイド）樹脂、ＰＰＡ（ポリフタルアミド）樹脂、ＰＡ（ポリアミド）樹脂、ＰＢＴ（ポリブチレンテレフタレート）、エポキシ系樹脂）等の絶縁性の樹脂からなる。
【００５５】
（コネクタ装置１における積層構造）
コネクタ装置１は、雄側ハウジング２０と雌側ハウジング３０とを所定の嵌合方向（図２，３の左右方向）に沿って嵌合させると、第１〜第３の接触端子１１０，１２０，１３０のそれぞれと第４〜第６の接触端子１４０，１５０，１６０のそれぞれとが対となって複数の接点が構成されると共に、これら複数の接点の間に、複数の絶縁体４１及び複数の絶縁体５１が介在する積層構造となる。
【００５６】
より詳細には、雄側ハウジング２の収納部２１における内方突起２１２の先端面２１２ａと、押圧機構６の金属板６３との間に、内方突起２１２側から順に、絶縁体４１、第３の接触端子１３０の接触部１３０ｂ、第６の接触端子１６０の接触部１６０ｂ、絶縁体５１、絶縁体４１、第２の接触端子１２０の接触部１２０ｂ、第５の接触端子１５０の接触部１５０ｂ、絶縁体５１、絶縁体４１、第１の接触端子１１０の接触部１１０ｂ、第４の接触端子１４０の接触部１４０ｂ、絶縁体５１、及び絶縁体４２が積み重なって積層構造が形成される。
【００５７】
この積層構造では、第１の接触端子１１０の接触部１１０ｂと第４の接触端子１４０の接触部１４０ｂとが向かい合って第１の接点を構成し、第２の接触端子１２０の接触部１２０ｂと第５の接触端子１５０の接触部１５０ｂとが向かい合って第２の接点を構成し、また第３の接触端子１３０の接触部１３０ｂと第６の接触端子１６０の接触部１６０ｂとが向かい合って第３の接点を構成する。第１の接点と第２の接点との間、及び第２の接点と第３の接点との間には、それぞれ一つずつの絶縁体４１及び絶縁体５１が介在する。
【００５８】
押圧機構６は、雄側ハウジング２０と雌側ハウジング３０との嵌合状態で、回転部材６１の回転によってコイルばね６２を圧縮し、金属板６３を介して上記の積層構造を内方突起２１２に向かって弾性的に押圧する。つまり、押圧機構６は、雄側ハウジング２と雌側ハウジング３０との嵌合により積層構造となった第１〜第３の接触端子１１０，１２０，１３０、第４〜第６の接触端子１４０，１５０，１６０、複数の絶縁体４１、及び複数の絶縁体５１を一括してその積層方向に押圧する。
【００５９】
（絶縁体４１の構成）
図４は、絶縁体４１を示し、（ａ）は左側面図、（ｂ）は正面図、（ｃ）は右側面図、（ｄ）は斜視図である。なお、以下の説明では、便宜上、積層方向における押圧機構６側を上方、内方突起２１２側を下方というが、これらは必ずしも鉛直方向における上下方向を意味するものではない。
【００６０】
絶縁体４１は、板状の本体部４１０と、第１〜第３の接触端子１１０，１２０，１３０の接触部１１０ｂ，１２０ｂ，１３０ｂにおける嵌合方向の先端面を覆う覆い部４１１と、本体部４１０から積層方向の一側（押圧機構６側）に突出する一対の第１凸部４１２と、本体部４１０から積層方向の他側に突出する一対の第２凸部４１３と、本体部４１０及び覆い部４１１の一端に形成されたテーパ部４１４とを一体に有している。第１凸部４１２は、本発明の「凸部」の一例である。
【００６１】
本体部４１０は、上方の平面である上平面４１０ｂと、上平面４１０ｂの裏側にあたる下平面４１０ｃと、幅方向の両側に形成された側面４１０ｄとを有している。ここで、幅方向とは、積層構造の積層方向（図２，３の上下方向）及び雄側ハウジング２０と雌側ハウジング３０との嵌合方向（図２，３の左右方向）に対して垂直な方向（図２，３の奥行方向）をいう。
【００６２】
以下の説明では、本体部４１０の幅方向を単に「幅方向」ということがある。また、雄側ハウジング２０と雌側ハウジング３０との嵌合方向を単に「嵌合方向」ということがある。またさらに、上記積層構造の積層方向を単に「積層方向」ということがある。
【００６３】
本体部４１０には、下平面４１０ｃから上方に向かって窪んで形成された一対の凹部４１０ａが設けられている。図４に示す例では、一対の凹部４１０ａが下平面４１０ｃの幅方向の両端部に設けられ、これらの凹部４１０ａが側面４１０ｄにも開口している。つまり、凹部４１０ａは、下平面４１０ｃと側面４１０ｄとによって形成される角部に設けられている。
【００６４】
また、凹部４１０ａは、本体部４１０の嵌合方向における一部の領域に設けられている。本実施の形態では、嵌合方向における凹部４１０ａの長さが本体部４１０の同方向における長さの半分以下である。また、凹部４１０ａの嵌合方向の両端は、本体部４１０の嵌合方向の端面まで到達することなく、それぞれ閉塞されている。
【００６５】
覆い部４１１は、本体部４１０の上平面４１０ｂから上方に向かって突出している。この覆い部４１１は、上平面４１０ｂにおける嵌合方向の先端部（テーパ部４１４側）に、幅方向に沿って延びる壁状に形成されている。
【００６６】
一対の第１凸部４１２は、本体部４１０の側面４１０ｄに連続して上方に突出する第１突起４１２ａと、上平面４１０ｂの上方で、第１突起４１２ａから幅方向の中央部側に向かって突出する第２突起４１２ｂとを一体に有している。換言すれば、一対の第１凸部４１２は、本体部４１０の幅方向の両端部から上方に突出する一対の第１突起４１２ａと、上平面４１０ｂの上方で互いに向かい合う第１突起４１２ａから、互いに接近する方向に突出する一対の第２突起４１２ｂとを有している。
【００６７】
第２突起４１２ｂは、本体部４１０における凹部４１０ａの上方にあたる範囲内に形成され、第２突起４１２ｂの嵌合方向における長さは、凹部４１０ａの嵌合方向における長さよりも、僅かに短く形成されている。
【００６８】
一対の第２凸部４１３は、本体部４１０の嵌合方向の一端において、本体部４１０の幅方向の両端部に形成され、下平面４１０ｃよりも下方に突出している。また、一対の第２凸部４１３は、本体部４１０の側面４１０ｄに連続して、側面４１０ｄから幅方向に張り出して形成されている。
【００６９】
テーパ部４１４は、本体部４１０の嵌合方向の他端（第２凸部４１３とは反対側の端部）に設けられ、先端部ほど幅方向及び積層方向の寸法が短くなるように形成された傾斜面を有して構成されている。
【００７０】
（絶縁体４２の構成）
図５は、絶縁体４２を示し、（ａ）は左側面図、（ｂ）は正面図、（ｃ）は右側面図、（ｄ）は斜視図である。
【００７１】
絶縁体４２は、直方体状の凹部４２０ａが形成された升状の本体部４２０と、本体部４２０の嵌合方向の一端に形成された一対の突起部４２１と、本体部４２０の嵌合方向の他端に形成されたテーパ部４２２とを一体に有している。本体部４２０の凹部４２０ａには、押圧機構６の金属板６３が収容される（図２，３参照）。
【００７２】
本体部４２０は、下平面４２０ｃから上方に向かって窪んで形成された一対の凹部４２０ａが設けられている。図５に示す例では、一対の凹部４２０ａが下平面４２０ｃの幅方向の両端部に設けられ、これらの凹部４２０ａが側面４２０ｄにも開口している。つまり、凹部４２０ａは、下平面４２０ｃと側面４２０ｄとによって形成される角部に設けられている。
【００７３】
一対の突起部４２１は、本体部４２０の上方に突出すると共に、本体部４２０の側面４２０ｄよりも幅方向に突出している。
【００７４】
テーパ部４２２は、本体部４２０の嵌合方向の他端（一対の突起部４２１とは反対側の端部）に設けられ、先端部ほど幅方向及び積層方向の寸法が短くなるように形成された傾斜面を有して構成されている。
【００７５】
（組立体４の構成）
図６は、３つの絶縁体４１及び１つの絶縁体４２を連結してなる組立体４を示し、（ａ）は左側面図、（ｂ）は正面図、（ｃ）は右側面図、（ｄ）は斜視図である。
【００７６】
３つの絶縁体４１は、それぞれが同一の形状及び大きさを有しているが、以下の説明ではこれらを区別するため、絶縁体４２に隣接する絶縁体４１を第１の絶縁体４１Ａとし、この第１の絶縁体４１Ａに隣接する絶縁体４１を第２の絶縁体４１Ｂとし、この第２の絶縁体４１Ｂに隣接する絶縁体４１を第３の絶縁体４１Ｃとする。
【００７７】
絶縁体４２と第１の絶縁体４１Ａとは、絶縁体４２の一対の凹部４２０ａに第１の絶縁体４１Ａの一対の第１凸部４１２（第２突起４１２ｂ）が嵌合することで、互いに積層方向に連結されている。この連結により、絶縁体４２と第１の絶縁体４１Ａとの幅方向の相対移動が規制されている。また、この連結により、絶縁体４２と第１の絶縁体４１Ａとの嵌合方向一側への相対移動（第１の絶縁体４１Ａが雄側ハウジング２０から抜け出す方向への移動）が規制されている。
【００７８】
また、第１の絶縁体４１Ａと第２の絶縁体４１Ｂとは、第１の絶縁体４１Ａの一対の凹部４２０ａに第２の絶縁体４１Ｂの一対の第１凸部４１２（第２突起４１２ｂ）が嵌合することで、互いに積層方向に連結されている。同様に、第２の絶縁体４１Ｂと第３の絶縁体４１Ｃとは、第２の絶縁体４１Ｂの一対の凹部４２０ａに第３の絶縁体４１Ｃの一対の第１凸部４１２（第２突起４１２ｂ）が嵌合することで、互いに積層方向に連結されている。
【００７９】
第１の絶縁体４１Ａと第２の絶縁体４１Ｂとの連結により、第１の絶縁体４１Ａと第２の絶縁体４１Ｂとの嵌合方向の相対移動、及び幅方向の相対移動が規制されている。つまり、第１の絶縁体４１Ａと第２の絶縁体４１Ｂとの間に、これらを嵌合方向又は幅方向に相対移動させる力が作用すると、第２の絶縁体４１Ｂにおける第１凸部４１２の第２突起４１２ｂが第１の絶縁体４１Ａにおける凹部４１０ａの内面に当接することにより、これらの方向への相対移動が規制されている。
【００８０】
凹部４１０ａ及び第１凸部４１２は、本体部４１０の幅方向の両端部に設けられているので、第１の絶縁体４１Ａと第２の絶縁体４１Ｂとは、幅方向の両側への相対移動が規制されている。また、嵌合方向における凹部４１０ａの両端はそれぞれ閉塞されているので、第１の絶縁体４１Ａと第２の絶縁体４１Ｂとは、嵌合方向及びその逆方向への相対移動が規制されている。
【００８１】
また、第１の絶縁体４１Ａと第２の絶縁体４１Ｂとは、第１の絶縁体４１Ａにおける凹部４１０ａの深さ方向の距離の範囲内で、互いに連結された状態を保ちながら積層方向に相対移動可能である。
【００８２】
同様に、第２の絶縁体４１Ｂと第３の絶縁体４１Ｃとの連結により、第２の絶縁体４１Ｂと第３の絶縁体４１Ｃとの嵌合方向の相対移動、及び幅方向の相対移動が規制されている。また、第２の絶縁体４１Ｂと第３の絶縁体４１Ｃとは、第２の絶縁体４１Ｂにおける凹部４１０ａの深さ方向の距離の範囲内で、互いに連結された状態を保ちながら積層方向に相対移動可能である。
【００８３】
図２及び図３に示すように、組立体４は、積層方向の一端における第３の絶縁体４１Ｃが雄側ハウジング２０の内方突起２１２に係止されることにより、雄側ハウジング２０からの離脱が抑止されている。より詳細には、第３の絶縁体４１Ｃは、その一対の第２凸部４１３が内方突起２１２よりも雄側ハウジング２０の奥側に位置することにより、雄側ハウジング２０から離脱する方向の移動が規制され、これに伴って第２の絶縁体４１Ｂ、第１の絶縁体４１Ａ、及び絶縁体４２の嵌合方向への移動が順次規制されている。本実施の形態では、第３の絶縁体４１Ｃの一対の第２凸部４１３が、内方突起２１２と保持部２３との間に位置している。
【００８４】
図７は、組立体４と、第１〜第３の電線１１〜１３及び第１〜第３の接触端子１１０，１２０，１３０とを組み合わせた状態を示す説明図である。図８は、図７のＡ−Ａ線断面図である。
【００８５】
第１の絶縁体４１Ａにおける本体部４１０の上方には、上平面４１０ｂと向かい合うように、第１の接触端子１１０の接触部１１０ｂが配置される。第２の絶縁体４１Ｂにおける本体部４１０の上方には、上平面４１０ｂと向かい合うように、第２の接触端子１２０の接触部１２０ｂが配置される。第３の絶縁体４１Ｃにおける本体部４１０の上方には、上平面４１０ｂと向かい合うように、第３の接触端子１３０の接触部１３０ｂが配置される。また、第１〜第３の接触端子１１０〜１３０の接触部１１０ｂ，１２０ｂ，１３０ｂは、第１〜第３の絶縁体４１Ａ，４１Ｂ，４１Ｃにおける一対の第１凸部４１２の間に配置されている。
【００８６】
第１の絶縁体４１Ａにおける覆い部４１１は、第１の接触端子１１０の嵌合方向の先端面１１０ｄを覆っている。この先端面１１０ｄは、第１の接触端子１１０の嵌合方向における一端面（接続部１１０ａとは反対側の端面）であり、雄側ハウジング２０と雌側ハウジング３０とが非嵌合状態であるときに、使用者等の手指が最も触れやすい面である。
【００８７】
なお、本実施の形態では、覆い部４１１が先端面１１０ｄをその幅方向の全体に亘って覆っているが、覆い部４１１は、少なくとも使用者等の手指の先端面１１０ｄへの接触を阻止し得るように、先端面１１０ｄの一部を覆っていればよい。また、覆い部４１１は、必ずしも接触部１１０ｂの厚さ方向（積層方向）における先端面１１０ｄの全体を覆っていなくともよい。またさらに、覆い部４１１は、先端面１１０ｄに接触していなくともよい。すなわち、覆い部４１１は、使用者等の手指が第１の接触端子１１０に直接触れることを阻止し得る態様で先端面１１０ｄを覆っていればよい。
【００８８】
同様に、第２の絶縁体４１Ｂにおける覆い部４１１は、第２の接触端子１２０の嵌合方向の先端面１２０ｄを覆っている。また、第３の絶縁体４１Ｃにおける覆い部４１１は、第３の接触端子１３０の嵌合方向の先端面１３０ｄを覆っている。第２の絶縁体４１Ｂ及び第３の絶縁体４１Ｃにおける覆い部４１１は、上記と同じく、使用者等の手指が第２及び第３の接触端子１２０，１３０に直接触れることを阻止し得る態様で先端面１１０ｄを覆っていればよい。
【００８９】
（実施の形態の作用及び効果）
以上説明した実施の形態によれば、以下に述べる作用及び効果が得られる。
【００９０】
（１）各絶縁体４１（第１〜第３の絶縁体４１Ａ〜４１Ｃ）及び絶縁体４２は、積層方向に互いに連結されることにより、互いの嵌合方向の相対移動及び幅方向の相対移動が規制されるので、例えば雄側ハウジング２０に、これら各絶縁体４１及び絶縁体４２の相対移動を規制するための部材を設けることなく、各絶縁体４１及び絶縁体４２の雄側ハウジング２０内における位置を規定することができる。これにより、コネクタ装置１の小型化及び軽量化を図ることが可能となる。
【００９１】
（２）雄側ハウジング２０側の各絶縁体４１（第１〜第３の絶縁体４１Ａ〜４１Ｃ）の覆い部４１１が第１〜第３の接触端子１１０〜１３０の先端面１１０ｄ，１２０ｄ，１３０ｄを覆い、かつ雌ハウジング３０の各絶縁体５１が第４〜第６の接触端子１４０〜１６０の先端面１４０ｃ，１５０ｃ，１６０ｃを覆っているので、雄側ハウジング２０と雌ハウジング３０とが嵌合されていない状態でも、使用者等の手指が第１〜第３の接触端子１１０〜１３０及び第４〜第６の接触端子１４０〜１６０に直接触れることを抑止することができる。これにより、感電や短絡等の発生を抑制することが可能となる。
【００９２】
（３）互いに積層方向に隣接する絶縁体４１同士（第１の絶縁体４１Ａと第２の絶縁体４１Ｂ、及び第２の絶縁体４１Ｂと第３の絶縁体４１Ｃ）は、一方の絶縁体４１に設けられた積層方向の凹部４１０ａに他方の絶縁体４１に設けられた第１凸部４１２が嵌合することで互いに連結される。このため、絶縁体４１同士を積層方向に重ねることを以てこれらが連結されるので、組立作業を容易に行うことができる。また、絶縁体４１と絶縁体４２との連結についても同様である。
【００９３】
（４）一対の凹部４１０ａ及び一対の第１凸部４１２は、本体部４１０の幅方向の両端部に設けられるので、例えば凹部４１０ａ及び第１凸部４１２が本体部４１０のそれぞれ１箇所に設けられた場合に生じ得る、凹部４１０ａ及び第１凸部４１２を支点とした絶縁体４１の回転動作を抑制することができると共に、一対の第１凸部４１２の間に第１〜第３の接触端子１１０〜１３０の接触部１１０ｂ，１２０ｂ，１３０ｂを配置することで、雄側ハウジング２０の幅方向の寸法の拡大を抑制することができる。
【００９４】
（５）組立体４を構成する複数（３つ）の絶縁体４１は、それぞれが同一の形状及び大きさであるので、一つの金型によってこれらを成型することができ、製造に要するコストを低減することが可能となる。
【００９５】
（６）雄側ハウジング２０に、第１〜第３の接触端子１１０，１２０，１３０、第４〜第６の接触端子１４０，１５０，１６０、複数の絶縁体４１、及び複数の絶縁体５１が積層された積層構造を積層方向に押圧する押圧機構６が設けられているので、第１〜第３の接触端子１１０，１２０，１３０と第４〜第６の接触端子１４０，１５０，１６０とを複数の絶縁体４１及び複数の絶縁体５１を介して押圧することで、これらを確実に接触させることが可能となる。
【００９６】
（７）組立体４は、積層方向の一端における絶縁体４１（第３の絶縁体４１Ｃ）が内方突起２１２に係止されることにより、雄側ハウジング２０からの離脱が抑止されている。これにより、３つの絶縁体４１（第１〜第３の絶縁体４１Ａ〜４１Ｃ）のそれぞれについて雄側ハウジング２０からの離脱が抑止する部材を設ける場合に比較して、このような部材が不要となるので、コネクタ装置１の小型化及び軽量化を図ることが可能となる。
【００９７】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００９８】
また、本発明は、その趣旨を逸脱しない範囲で適宜変形して実施することが可能である。例えば、上記実施の形態では、コネクタ装置１を介して接続される電線の数が３本である場合について説明したが、これに限らず、２本又は４本以上であってもよい。また、コネクタ装置の用途にも制限はない。
【００９９】
また、上記実施の形態では、雄側ハウジング２０に、押圧機構６が設けられている場合について説明したが、これに限らず、例えば第１〜第３の接触端子１１０，１２０，１３０が雄端子として構成され、第４〜第６の接触端子１４０，１５０，１６０が雌端子として構成されることにより、これら雄端子と雌端子との嵌合により、第１〜第３の電線１１〜１３と、第４〜第６の電線１４〜１６とが、それぞれ電気的に接続されるように構成してもよい。
【０１００】
また、上記実施の形態では、雄側ハウジング２０の複数の絶縁体４１が積層方向に相互に連結される場合について説明したが、これに限らず、雌側ハウジング３０の複数の絶縁体５１が積層方向に相互に連結され、この連結により、絶縁体５１同士の嵌合方向の相対移動、及び幅方向の相対移動が規制されるようにしてもよい。また、複数の絶縁体４１及び複数の絶縁体５１の双方が、それぞれ積層方向に相互に連結されるようにしてもよい。
【符号の説明】
【０１０１】
１…コネクタ装置、２…雄コネクタ、３…雌コネクタ、４…組立体、６…押圧機構、１１〜１６…第１〜第６の電線、２０…雄側ハウジング、２１…収納部、２２…フランジ部、２２ａ…ボルト穴、２２ｂ…突起、２３…保持部、２３ａ…係止突起、２４，２５，２６…シール部材、３０…雌側ハウジング、３１…筒状体、３２…保持部、３３…筒状シールド体、３４，３５…シール部材、４１…絶縁体、４１Ａ，４１Ｂ，４１Ｃ…第１〜第３の絶縁体、４２…絶縁体、５１…絶縁体、６１…回転部材、６３…金属板、６４…スナップリング、１１０，１２０，１３０…第１〜第３の接触端子、１１０ａ，１２０ａ，１３０ａ…接続部、１１０ｂ，１２０ｂ，１３０ｂ…接触部、１１０ｃ，１２０ｃ，１３０ｃ…突起部、１１０ｄ，１２０ｄ，１３０ｄ…先端面、１１１，１２１，１３１…芯線、１１２，１２２，１３２…シース、１４０，１５０，１６０…第４〜第６の接触端子、１４０ａ，１５０ａ，１６０ａ…接続部、１４０ｂ，１５０ｂ，１６０ｂ…接触部、１４０ｃ，１５０ｃ，１６０ｃ…先端面、１４１，１５１，１６１…芯線、１４２，１５２，１６２…シース、２１１…外方突起、２１２…内方突起、２１２ａ…先端面、２１３…貫通孔、２１３ａ…内周面、３０１ｂ…開口、３１１…第１筒部、３１１ａ…開口、３１２…第２筒部、４１０…本体部、４１０ａ…凹部、４１０ｂ…上平面、４１０ｃ…下平面、４１０ｄ…側面、４１１…覆い部、４１２…第１凸部、４１２ａ…第１突起、４１２ｂ…第２突起、４１３…第２凸部、４１４…テーパ部、４２０…本体部、４２０ａ…凹部、４２０ｃ…下平面、４２０ｄ…側面、４２１…突起部、４２２…テーパ部、６１１…底部、６１１ａ…穴部、６１２…筒部
【図１】
0005780181.tif 000002
【図２】
0005780181.tif 000003
【図３】
0005780181.tif 000004
【図４】
0005780181.tif 000005
【図５】
0005780181.tif 000006
【図６】
0005780181.tif 000007
【図７】
0005780181.tif 000008
【図８】
0005780181.tif 000009